(57)【要約】      （修正有）【課題】宅地造成用の擁壁を用いて造成した宅地上に建造物を建てる際に擁壁の保持構造物が地下で障害にならない宅地造成用の擁壁を提供する。【解決手段】擁壁裏面にタイバー袖壁を設け、該タイバー袖壁が造成宅地の各敷地境界線上内のみに埋設されている構成とした。５は擁壁設置位置、６は擁壁設置位置５の山側に設けられた敷地、７は前記敷地６に設けられている既存建造物、８は擁壁を設置しなくては危険な崖、１ａ、１ｂ、１ｃ・・・は擁壁パネル、２ａ、２ｂ、２ｃ・・・は挿入穴、９ａ、９ｂ、９ｃ・・・は親杭の上部に形成された支柱、１０は前記擁壁パネル１ａ、１ｂ、１ｃ・・・を載置して積層するための擁壁基台を示しており、該擁壁基台１０上に擁壁パネル１ａ、１ｂ、１ｃ・・・は積層される。【選択図】図２
2012229524.tif 000002
【特許請求の範囲】
【請求項１】
親杭上部が構成する支柱を一定間隔を有して打設し、該夫々の支柱により垂直方向に複数枚の擁壁パネルを積層して擁壁を構成し、該擁壁を構成する夫々の長方形型の擁壁パネルは中央裏面に親杭の上部が構成する支柱を挿入できる挿入穴を有し、該擁壁パネルの表面は前記支柱の挿入穴を中心に左右両方向に等しく展開する平板形状を有しており、該擁壁パネルは打設された親杭の上部に形成された夫々の支柱に挿入して積層され擁壁パネル群からなる幅広の擁壁を構築し、該幅広の擁壁パネル群から成る擁壁の上部を頭繋ぎ部材にて連結していることを特徴とする狭隘地用の擁壁パネル。
【請求項２】
前記擁壁を構成する擁壁パネルは夫々の支柱により複数枚ずつ垂直方向に積層されたのち擁壁のパネル任意個所に頭繋ぎ部材を設けて夫々の擁壁パネルを連結させて幅広の擁壁パネル群を構成し、該頭繋ぎ部材の上部に繰り返して擁壁パネルを夫々の支柱により垂直方向に積層することにより擁壁パネル群の高さをより高く積層することを特徴とする請求項１に記載された狭隘地用の擁壁パネル。
【請求項３】
親杭上部が構成する支柱を一定間隔を有して打設し、該夫々の支柱により垂直方向に複数枚の擁壁パネルを積層して擁壁を構成し、該擁壁を構成する夫々の長方形型の擁壁パネルは中央裏面に親杭の上部が構成する支柱を挿入できる挿入穴を有し、該擁壁パネルの表面は前記支柱の挿入穴を中心に左右両方向に等しく展開する平板形状を有しており、該擁壁パネルは打設された親杭の上部に形成された夫々の支柱に挿入して積層され擁壁パネル群からなる幅広の擁壁を構築し、該幅広の擁壁パネル群から成る擁壁の上部を頭繋ぎ部材にて連結することを特徴とする狭隘地用の擁壁パネル工法。
【発明の詳細な説明】
【技術分野】
【０００１】
本発明は、狭隘地用の擁壁パネル及びその施工方法に関するものであり、特に本発明は、狭隘地の傾斜地において既存の建造物に影響を与えないでその既存建造物の谷側部分の擁壁工事が行える狭隘地用の擁壁パネルを提供するものである。
【背景技術】
【０００２】
傾斜地の崩落を防止するための従来の擁壁工法の原理は、石やブロック等の擁壁材料が重みで傾斜地にもたれ掛った状態で擁壁を構築する方法や、傾斜地の山側の土を掘削して擁壁と底盤からなるＬ型の構築物を作り、そのＬ型構築物を埋め戻して擁壁と底盤部分を安定させる方法、並びにＨ型鋼等の凹部嵌合溝を有する親杭を８０〜１５０ｃｍ程度の間隔で打設して横矢板を前記親杭間の凹部嵌合溝に嵌着して擁壁を構築する方法等がある。
【０００３】
また、近年は土地を有効利用するために傾斜地の利用は益々盛んで、傾斜地において実施される宅地造成工法では、特に豪雨や地震による地盤の崩壊を確実に防止できる擁壁を設けて安全な宅地の造成ができる工法や、比較的簡単に施工できる擁壁の構築工法の開発が求められており、その擁壁の構築工法は、傾斜地を含む狭隘な地域でも施工が可能である事、また、工事が短期間で出来ることや、工事費が比較的安価であること等が、大きなニーズとなってきている。
【０００４】
斯くして、本発明の原点となる従来例は、特開２０００−２９７４０３号公報（以下、特許文献１と称する）に記載された第１の実施形態であり、該特許文献１の第１の実施形態には、上述した傾斜地を含む狭隘な地域でも施工が可能であり、また、工事が比較的短期間で、安価に施工が出来る擁壁の施工方法を提供することを目的とした発明が記載されている。
【０００５】
特許文献１の発明を概略説明すると、図７（Ａ）は、特許文献１に開示された発明を示す断面図であり、図７（Ｂ）は同じく平面図である。図７（Ａ）、（Ｂ）において、５０は基礎、５１は支柱、５２は壁版、５３はアンカーウェイト、５４はタイバー、５５は床板である。
【０００６】
擁壁はどのような構造でもよいが、ここでは一例として、適当な間隔で杭状の基礎５０を形成し、Ｈ型鋼などの支柱５１を立てる。そして、支柱５１間にＰＣ版などにより壁版５２を設け、擁壁を構築している。一方、擁壁よりも山側の安定地盤にアンカーウェイト５３を設置し、アンカーウェイト５３と擁壁（支柱５１）間をタイバー５４で結ぶ。アンカーウェイト５３は、例えば鉄筋コンクリートや杭などで構成することができる。また、タイバー５４は、例えば擁壁（支柱５１）とアンカーウェイト５３間に１ないし複数本のワイヤーを張設し、あるいは骨材を両端で固定し、該ワイヤーあるいは骨材をコンクリート等によって固めて構成することができる。さらには、ＰＣ版を擁壁（支柱５１）とアンカーウェイト５３に固定することによって構成することもできる。
【０００７】
そして、特許文献１に記載された実施形態では、床板５５を壁版５２よりも谷側に張り出して設置した場合、床板５５の自重や床板５５上にかかる荷重によって、擁壁は谷側にモーメント力を受ける。さらに擁壁は、山側の土圧と谷側の土圧の大きさの違いから、谷側に向く方向の力を受けている。しかし、アンカーウェイト５３が安定地盤に設置され、アンカーウェイト５３と擁壁とがタイバー５４によって結ばれているので、アンカーウェイト５３の受ける土圧や、タイバー５４が周囲より受ける摩擦力や土圧などによって、上述のような擁壁にかかる力に対抗することができると、している。
【０００８】
然しながら、特許文献１に記載された発明では、各擁壁（支柱５１）の山側、即ち、裏面側には、夫々の擁壁（支柱５１）を保持するためのタイバー５４とアンカーウェイト５３が連結、一体化されており、夫々の擁壁（支柱５１）の裏面から安定地盤まで延びているタイバー５４の部材と安定地盤上に設置されるアンカーウェイト５３が必要であり、該タイバーとアンカーウエィトを設置するためには、傾斜地の山側の土を掘り起こし安定地盤上にアンカーウエィトを設置し、該アンカーウエィトと擁壁を前記タイバーにて連結しなくてはならず、この擁壁構造では、傾斜地の山側に既存の建造物がある場合には擁壁の設置工事自体が施工不可能となる欠点を有しており、この点の改良が求められている。
【先行技術文献】
【特許文献】
【０００９】
【特許文献１】特開２０００−２９７４０３号公報
【発明の概要】
【発明が解決しようとする課題】
【００１０】
本発明が解決しようとする課題は、傾斜地に擁壁を構築して宅地造成等を行う際に、擁壁を保持するタイバーや安定地盤上に設置されるアンカーウェイトを必要とせず、また、擁壁設置場所の山側の土を掘り起こす必要がない擁壁パネルを提供して、擁壁設置場所の山側に既存建造物があっても、該既存建造物に影響を与えることなく擁壁設置工事の行える狭隘地における擁壁パネルを提供するものである。
【課題を解決するための手段】
【００１１】
本発明における課題を解決するための手段として、本発明は、親杭上部が構成する支柱を一定間隔を有して打設し、該夫々の支柱により垂直方向に複数枚の擁壁パネルを積層して擁壁を構成し、該擁壁を構成する夫々の長方形型の擁壁パネルは中央裏面に親杭の上部が構成する支柱を挿入できる挿入穴を有し、該擁壁パネルの表面は前記支柱の挿入穴を中心に左右両方向に等しく展開する平板形状を有しており、該擁壁パネルは打設された親杭の上部に形成された夫々の支柱に挿入して積層され擁壁パネル群からなる幅広の擁壁を構築し、該幅広の擁壁パネル群から成る擁壁の上部を頭繋ぎ部材にて連結できる狭隘地用の擁壁パネル及び擁壁パネル工法を提供するものである。
【００１２】
また、本発明において、前記擁壁を構成する擁壁パネルは、夫々の支柱により複数枚ずつ垂直方向に積層されたのち擁壁のパネル任意個所に頭繋ぎ部材を設けて夫々の擁壁パネルを連結させて幅広の擁壁パネル群を構成し、該頭繋ぎ部材の上部に繰り返して擁壁パネルを夫々の支柱により垂直方向に積層することにより擁壁パネル群の高さをより高く積層可能にした狭隘地用の擁壁パネルを提供するものである。
【発明の効果】
【００１３】
而して、本発明における擁壁の施工は、該擁壁の山側上部に既存の建造物がある場合等において、既存の建造物のある敷地を掘り起こしてタイバーやアンカーウエィトを設置する必要が無く、既存の建物のある敷地に影響を与えないでその既存建造物の谷側部分に擁壁工事が容易に施工できるものであり、特に既存建造物がある狭隘地用の擁壁パネルを提供可能にした。
【００１４】
また、本発明は、擁壁を施工するにあたり、該擁壁の山側上部に既存の建造物がある場合等のおいても山側の土を掘り起こしてタイバーやアンカーウエィトを設置する必要が無く既存の建造物に影響を与えないでその既存建造物の谷側部分に擁壁工事が施工できるもので、擁壁の山側上部を掘り起こす必要がないことから、該擁壁の施工にあたり当該建造物に対する工事保険は免責にならず、工事保険を掛けてリスクの無い擁壁工事が行える。
【００１５】
更に、本発明は、親杭上部が構成する支柱を一定間隔を有して打設し、該夫々の支柱により垂直方向に積層される複数枚の擁壁パネルからなり、該夫々の支柱により垂直方向に積層される複数枚の擁壁パネルの任意個所、または上部を頭繋部材にて連結して幅広の擁壁パネル群からなる擁壁を構成するものであり、擁壁パネルのサイズは、幅約２０００ｍｍ、高さ約１０００ｍｍ程度の比較的小さなモジュールとすることができることから、狭隘な傾斜地においても小型の楊重機を用いて施工することが可能である。
【図面の簡単な説明】
【００１６】
【図１】（Ａ）本発明に使用される擁壁パネルの形状を示す平面図である。           （Ｂ）本発明に使用される擁壁パネルの形状を示す正面図である。
【図２】本発明を傾斜地に実施した状態を示す平面説明図である。
【図３】本発明を実施した状態を示す正面図である。
【図４】実施例１を説明する斜視図で擁壁パネル、頭繋ぎ部材の構成説明図である。
【図５】実施例１を説明する断面図である。
【図６】実施例２を説明する断面図で擁壁パネルを実施例１に比較してより高く構築した例を示している。
【図７】（Ａ）従来の擁壁の施工例を説明する断面図である。       （Ｂ）従来の擁壁施工例を説明する平面図である。
【発明を実施するための形態】
【００１７】
本発明における擁壁の施工は、該擁壁の山側上部に既存の建造物がある場合等において、既存の建造物のある敷地を掘り起こしてタイバーやアンカーウエィトを設置する必要が無く、既存の建物のある敷地に影響を与えないでその既存建造物の谷側部分に擁壁工事が容易に施工できるものである。
【００１８】
また、本発明は、擁壁を施工するにあたり、該擁壁の山側上部に既存の建造物がある場合等のおいても山側の土を掘り起こしてタイバーやアンカーウエィトを設置する必要が無く既存の建造物に影響を与えないでその既存建造物の谷側部分に擁壁工事が施工できるもので、擁壁の山側上部を掘り起こす必要がないことから、該擁壁の施工にあたり当該建造物に対する工事保険は免責にならず、工事保険を掛けてリスクの無い擁壁工事が行える。
【００１９】
更に、本発明は、親杭上部が構成する支柱を一定間隔を有して打設し、該夫々の支柱により垂直方向に積層される複数枚の擁壁パネルからなり、該夫々の支柱により垂直方向に積層される複数枚の擁壁パネルの任意個所、または上部を頭繋部材にて連結して幅広の擁壁パネル群からなる擁壁を構成するものであり、擁壁パネルのサイズは、幅約２０００ｍｍ、高さ約１０００ｍｍ程度の比較的小さなモジュールとすることができることから、狭隘な傾斜地においても小型の楊重機を用いて施工することが可能となる。
【００２０】
斯くして、本発明は、親杭上部が構成する支柱を一定間隔を有して打設し、該夫々の支柱により垂直方向に複数枚の擁壁パネルを積層して擁壁を構成し、該擁壁を構成する夫々の長方形型の擁壁パネルは中央裏面に親杭の上部が構成する支柱を挿入できる挿入穴を有し、該擁壁パネルの表面は前記支柱の挿入穴を中心に左右両方向に等しく展開する平板形状を有しており、該擁壁パネルは打設された親杭の上部に形成された夫々の支柱に挿入して積層され擁壁パネル群からなる幅広の擁壁を構築し、該幅広の擁壁パネル群から成る擁壁の上部を頭繋ぎ部材にて連結できる狭隘地用の擁壁パネル及び擁壁パネル工法を提供するものである。
【００２１】
また、本発明において、前記擁壁を構成する擁壁パネルは、夫々の支柱により複数枚ずつ垂直方向に積層されたのち擁壁のパネル任意個所に頭繋ぎ部材を設けて夫々の擁壁パネルを連結させて幅広の擁壁パネル群を構成し、該頭繋ぎ部材の上部に繰り返して擁壁パネルを夫々の支柱により垂直方向に積層することにより擁壁パネル群の高さをより高く積層可能にすることも好ましい。
【実施例１】
【００２２】
図１乃至図５は、本発明の実施例１を説明するものであり、図１（Ａ）は本発明に使用される擁壁パネルの平面図、図１（Ｂ）は図１（Ａ）の正面図、図２は本発明を傾斜地に実施した状態を示す平面説明図、図３は実施例１を説明する擁壁の正面図、図４は実施例１を説明する斜視図で擁壁パネル、頭繋ぎ部材の構成説明図である。
【００２３】
図１（Ａ）（Ｂ）において、１は擁壁パネル、２は擁壁パネル１の中央部に構成される挿入穴、３は擁壁パネル裏面、４は擁壁パネルを積層する際に他の擁壁パネルとの嵌合に使用されるガイドピンを示している。
【００２４】
実施例１において、擁壁を構成する夫々の擁壁パネル１は中央部に親杭の上部が構成するＨ型鋼や角柱等による支柱を挿入できる挿入穴２を有し、該擁壁パネル１の表面は前記支柱の貫通穴２を中心に左右方向に等しく展開する平板形状を有しており、該擁壁パネル１は打設された親杭の上部に形成された支柱に挿入されて積層され擁壁を構成するものである。
【００２５】
図２は本発明を傾斜地に実施した状態を示す平面図であり、図２において、５は擁壁設置位置、６は擁壁設置位置５の山側に設けられた敷地、７は前記敷地６に設けられている既存建造物、８は擁壁を設置しなくては危険な崖、１ａ、１ｂ、１ｃ・・・は擁壁パネル、２ａ、２ｂ、２ｃ・・・は挿入穴、９ａ、９ｂ、９ｃ・・・は親杭の上部に形成された支柱、１０は前記擁壁パネル１ａ、１ｂ、１ｃ・・・を載置して積層するための擁壁基台を示しており、該擁壁基台１０上に擁壁パネル１ａ、１ｂ、１ｃ・・・は積層される。  
【００２６】
図３は、図２にて示した擁壁パネル１の正面図であり、図３において、７は既存の建造物、１１ａ、１１ｂ、１１ｃ…は親杭、９ａ、９ｂ、９ｃ・・・は親杭の上部に形成された支柱、該支柱９ａ、９ｂ、９ｃ・・・には、夫々擁壁パネル１ａ、１ｂ、１ｃ・・・に擁壁パネルが３枚ずつ積層されていて、高さを有する擁壁パネル群１３を構成している。そして、擁壁パネル群１３を構成する各擁壁パネル１ａ、１ｂ、１ｃ・・・は夫々の支柱９ａ、９ｂ、９ｃ・・・により保持されているが、その上部を頭繋ぎ部材１２にて連繋されていて、擁壁パネル１として一体化されており、支柱９ａ、９ｂ、９ｃ・・・と頭繋ぎ部材１２により、擁壁１は幅及び高さを有する擁壁パネル群１３として強度を保持している。
【００２７】
図４及び図５において、図４は前記擁壁パネル１ａ、１ｂ、１ｃ・・・と頭繋ぎ部材１２の構成を示す斜視図、図５は図４の側面図である。図４及び図５において、７は既存建造物、１１ａ、１１ｂは親杭、９ａ、９ｂは支柱、１ａ、１ｂは擁壁パネルを前記支柱９ａ、９ｂに夫々積層した擁壁パネル群１３を示しており、該擁壁１からなる擁壁パネル群１３は擁壁パネル１ａ、１ｂ、１ｃ・・・と擁壁基台１０、そして支柱９ａ、９ｂ、９ｃ・・・、と頭繋ぎ部材１２により構成されている。
尚、図５において、１４は擁壁パネル群１３と敷地６間の崖８を擁壁の施工後に埋め立てた埋め戻し土である。
【００２８】
斯くして、本発明の実施例１は、親杭１１ａ、１１ｂ、１１ｃ・・・の上部が構成する支柱９ａ、９ｂ、９ｃ・・・を一定間隔を有して打設し、該夫々の支柱９ａ、９ｂ、９ｃ・・・により垂直方向に複数枚の擁壁パネル１ａ、１ｂ、１ｃ・・・を積層して擁壁パネル群１３を構成し、該擁壁パネル群１３を構成する夫々の長方形型の擁壁パネル１ａ、１ｂ、１ｃ・・・は中央裏面に親杭１１ａ、１１ｂ、１１ｃ・・・の上部が構成する支柱９ａ、９ｂ、９ｃ・・・を挿入できる挿入穴２ａ、２ｂ、２ｃ・・・を有し、該夫々の擁壁パネル１ａ、１ｂ、１ｃ・・・の表面は前記支柱９ａ、９ｂ、９ｃ・・・の挿入穴２ａ、２ｂ、２ｃ・・・を中心に左右両方向に等しく展開する平板形状を有しており、該擁壁パネル１ａ、１ｂ、１ｃ・・・は打設された親杭１１ａ、１１ｂ、１１ｃ・・・の上部に形成された夫々の支柱９ａ、９ｂ、９ｃ・・・に挿入して積層され擁壁パネル群１３からなる幅広の擁壁を構築し、該幅広の擁壁パネル群１３から成る擁壁１ａ、１ｂ、１ｃ・・・の上部を頭繋ぎ部材１２にて連結できる狭隘地用の擁壁パネル及び擁壁パネル工法を提供するものである。
【００２９】
本発明における実施例１の擁壁パネル群１３の施工は、該擁壁パネル群１３の山側上部に既存建造物７がある場合等において、既存建造物７のある敷地６を掘り起こしてタイバーやアンカーウエィト等の支柱補強部材を設置する必要が無く、既存建造物７のある敷地６に影響を与えないでその既存建造物７の谷側部分に擁壁１の設置工事が容易にできるものである。
【００３０】
また、実施例１は、擁壁パネル群１３を施工するにあたり、該擁壁パネル群１３の山側上部に既存建造物７がある場合等のおいても山側の敷地６を土を掘り起こしてタイバーやアンカーウエィトを設置する必要が無く、既存の建造物７に影響を与えないで、その既存建造物７の谷側部分に擁壁パネル群１３の工事が施工できるもので、擁壁の山側上部を掘り起こす必要がないことから、該擁壁パネル群１３の施工にあたり当該建造物７に対する工事保険は免責にならず、工事保険を掛けてリスクの無い擁壁パネルの工事が行える。
【００３１】
更に、実施例１は、親杭１１ａ、１１ｂ、１１ｃ・・・上部が構成する支柱９ａ、９ｂ、９ｃ・・・を一定間隔を有して打設し、該夫々の支柱９ａ、９ｂ、９ｃ・・・により垂直方向に積層される複数枚の擁壁パネル１ａ、１ｂ、１ｃ・・・の任意個所、または上部を頭繋部材にて連結して幅広の擁壁パネル群からなる擁壁１を構成するものであり、擁壁パネル１ａ、１ｂ、１ｃ・・・のサイズは、幅約２０００ｍｍ、高さ約１０００ｍｍ程度の比較的小さなモジュールとすることができることから、狭隘な傾斜地においても小型の楊重機を用いて施工することが可能である。
【実施例２】
【００３２】
図５は実施例２を説明する擁壁パネル部分の断面図であり、図５において、６は敷地、７は既存の建造物、１１ａは親杭、９ａは親杭１１ａの上部に構成された支柱、１０は擁壁基台、１ａ、１ｂ、１ｃは擁壁基台１０上に前記支柱９ａにより積層された擁壁パネル、１５は中間頭繋ぎ部材、１６は上部頭繋ぎ部材である。
【００３３】
斯くして、実施例２は、前記擁壁パネル群１３ａ、１３ｂを構成する擁壁パネルは夫々の支柱９ａにより複数枚ずつ垂直方向に積層されたのち擁壁１ａ、１ｂ、１ｃのパネル任意個所に頭繋ぎ部材１３ｂを設けて夫々の擁壁パネル１ａ、１ｂ、１ｃを連結させて幅広の擁壁パネル群１３ａ、１３ｂを構成し、該中間頭繋ぎ部材１５の上部に繰り返して擁壁パネル１ｄ、１ｅ、１ｃを夫々の支柱９ａにより垂直方向に積層することにより擁壁パネル群１３ａ、１３ｂの高さをより高く積層した後、上部頭繋ぎ部材１６にて擁壁パネル群１３ａを構成するものである。
【００３４】
実施例２における擁壁パネル群１３ａ、１３ｂの施工は、該擁壁パネル群１３ａ、１３ｂの山側上部に既存建造物７がある場合等において、既存建造物７のある敷地６を掘り起こしてタイバーやアンカーウエィト等の支柱補強部材を設置する必要が無く、既存建造物７のある敷地６に影響を与えないでその既存建造物７の谷側部分に擁壁１の設置工事が容易にできるものである。
【００３５】
また、実施例２は、擁壁パネル群１３ａ、１３ｂを施工するにあたり、該擁壁パネル群１３ａ、１３ｂの山側上部に既存の建造物７がある場合等のおいても山側の敷地６を土を掘り起こしてタイバーやアンカーウエィトを設置する必要が無く、既存の建造物７に影響を与えないで、その既存建造物７の谷側部分に擁壁パネル群１３の工事が施工できるもので、擁壁の山側上部を掘り起こす必要がないことから、該擁壁パネル群１３の施工にあたり当該建造物７に対する工事保険は免責にならず、工事保険を掛けてリスクの無い擁壁パネルの工事が行える。
【００３６】
更に、本発明は、親杭１１ａ、１１ｂ、１１ｃ・・・上部が構成する支柱９ａ、９ｂ、９ｃ・・・を一定間隔を有して打設し、該夫々の支柱９ａ、９ｂ、９ｃ・・・により垂直方向に積層される複数枚の擁壁パネル１ａ、１ｂ、１ｃ・・・の任意個所、または上部を頭繋部材にて連結して幅広の擁壁パネル群からなる擁壁１を構成するものであり、擁壁パネル１ａ、１ｂ、１ｃ・・・のサイズは、幅約２０００ｍｍ、高さ約１０００ｍｍ程度の比較的小さなモジュールとすることができることから、狭隘な傾斜地においても小型の楊重機を用いて施工することが可能である。
【符号の説明】
【００３７】
１、１ａ、１ｂ、１ｃ・・・擁壁パネル
２  挿入穴
３  擁壁パネル裏面
４  ガイドピン
５  擁壁設置位置
６  敷地
７  既存建造物
８  崖
９ａ、９ｂ、９ｃ・・・  支柱
１０  擁壁基台
１１ａ、１１ｂ、１１ｃ・・・  親杭
１２  頭繋ぎ部材
１３、１３ａ、１３ｂ  擁壁パネル群
１４  埋め戻し土
１５  中間頭繋ぎ部材
１６  上部頭繋ぎ部材
【図１】
2012229524.tif 000003
【図２】
2012229524.tif 000004
【図３】
2012229524.tif 000005
【図４】
2012229524.tif 000006
【図５】
2012229524.tif 000007
【図６】
2012229524.tif 000008
【図７】
2012229524.tif 000009